(57)【要約】      （修正有）【課題】蒸発器と凝縮器とに交互に切り換わる２つの吸着熱交換器を有する除湿ユニットを用いて調湿空間の除湿を行う除湿システムにおいて、蒸発器と凝縮器との切換に伴う調湿空間の湿度の上昇を抑制する除湿システムを提供する。【解決手段】除湿システム１は、圧縮機と膨張機構と表面に吸着剤が設けられた２つの吸着熱交換器46,47とが接続された冷媒回路の蒸発器として機能する吸湿熱交換器において空気を除湿する除湿ユニット30と、該除湿ユニット30の吸湿熱交換器を通過した空気を室内空間Sへ導く給気通路11とを備えている。上記除湿システム1に、冷媒回路における冷媒の循環方向の切換時を含む所定期間の間、給気通路11から室内空間Sへの空気の供給を遮断する給気遮断部90を設ける。【選択図】図１
2015114081.tif 000002
【特許請求の範囲】
【請求項１】
圧縮機（41）と膨張機構（42）と表面に吸着剤が設けられた２つの吸着熱交換器（46,47）とが接続され、冷媒の循環方向が交互に切り換えられる冷媒回路（40）を有し、上記２つの吸着熱交換器（46,47）のうちの蒸発器として機能する吸湿熱交換器において空気を除湿する除湿ユニット（30）と、上記吸湿熱交換器を通過した空気を調湿空間（S）へ導く給気通路（11）とを備えた除湿システムであって、
上記冷媒回路（40）における冷媒の循環方向の切換時を含む所定期間の間、上記給気通路（11）から上記調湿空間（S）への空気の供給を遮断する給気遮断部（90）を備えている
ことを特徴とする除湿システム。
【請求項２】
請求項１において、
上記給気遮断部（90）は、上記給気通路（11）の上記除湿ユニット（30）と上記調湿空間（S）との間に設けられ、上記給気通路（11）を開閉する給気ダンパ（91）と、上記所定期間の間のみ上記給気ダンパ（91）を閉じる制御部（100）とを有している
ことを特徴とする除湿システム。
【請求項３】
請求項２において、
上記給気通路（11）には、上記給気ダンパ（91）が閉じられた際に、該給気ダンパ（91）の上流側の空気を排気する排気通路（50）が接続されている
ことを特徴とする除湿システム。
【請求項４】
請求項２において、
上記給気通路（11）には、上記給気ダンパ（91）が閉じられた際に、該給気ダンパ（91）の上流側の空気を上記吸湿熱交換器の上流側に返送する返送通路（61）が接続されている
ことを特徴とする除湿システム。
【請求項５】
請求項４において、
上記返送通路（61）には、該返送通路を開閉する開閉ダンパ（62）が設けられ、
上記制御部（100）は、上記所定期間の間にのみ上記開閉ダンパ（62）を開くように構成されている
ことを特徴とする除湿システム。
【請求項６】
請求項１において、
上記２つの吸着熱交換器（46,47）のうちの凝縮器として機能する放湿熱交換器の吸着剤を再生した空気が流れる再生空気通路（12）を備え、
上記除湿ユニット（30）は、
上記冷媒回路（40）を収容するケーシング（111）と、
上記ケーシング（111）内に設けられ、該ケーシング（111）内における空気の流通経路を切り換える複数の内部ダンパ（141〜148）と、
上記冷媒回路（40）における冷媒の循環方向の切換に伴い、上記吸湿熱交換器を通過した空気が上記給気通路（11）に導かれ且つ上記放湿熱交換器を通過した空気が上記再生空気通路（12）に導かれる通常状態となるように、上記複数の内部ダンパ（141〜148）の開閉動作を制御する通常制御部（101）とを有し、
上記給気遮断部（90）は、上記所定期間の間のみ、上記通常状態から上記吸湿熱交換器と上記給気通路（11）との間において空気の流通が遮断される遮断状態に切り換わるように、上記通常制御部（101）に代わって上記複数の内部ダンパ（141〜148）の開閉動作を制御する遮断制御部（102）を有している
ことを特徴とする除湿システム。
【請求項７】
請求項６において、
上記遮断制御部（102）は、上記遮断状態において、上記吸湿熱交換器を通過した空気が上記再生空気通路に導かれるように、上記複数の内部ダンパ（141〜148）の開閉動作を制御するように構成されている
ことを特徴とする除湿システム。
【発明の詳細な説明】
【技術分野】
【０００１】
本発明は、表面に吸着剤が設けられた吸着熱交換器を有する除湿ユニットを用いて調湿空間を除湿する除湿システムに関するものである。
【背景技術】
【０００２】
従来から、表面に吸着剤が設けられた吸着熱交換器を用いて調湿空間の除湿を行う除湿ユニットが知られている（下記の特許文献１を参照）。
【０００３】
上記除湿ユニットは、圧縮機と膨張機構と２つの吸着熱交換器とが接続されて冷媒循環方向が所定時間毎に交互に切り換わる冷媒回路を有している。除湿ユニットの蒸発器として機能する吸湿熱交換器では、通過する空気中の水分が吸着剤に吸着される吸着動作が行われ、その際に生じる吸着熱が冷媒に吸収される。一方、凝縮器として機能する放湿熱交換器では、吸着剤を冷媒で加熱することによって吸着剤から通過する空気中へ水分を脱離させて吸着剤を再生する再生動作が行われる。つまり、上記除湿ユニットでは、冷媒回路における冷媒循環方向が交互に切り換わることにより、２つの吸着熱交換器が蒸発器と凝縮器とに交互に切り換わり、それぞれにおいて吸着動作と再生動作とが交互に行われる。そして、上記除湿ユニットでは、吸湿熱交換器を通過した空気が調湿空間へ供給されることによって調湿空間が除湿される。
【先行技術文献】
【特許文献】
【０００４】
【特許文献１】特開２０１０−２８１４７６号公報
【発明の概要】
【発明が解決しようとする課題】
【０００５】
しかしながら、上述のような冷媒回路の冷媒循環方向を交互に切り換えて該冷媒回路に接続された２つの吸着熱交換器を蒸発器と凝縮器とに交互に切り換える除湿ユニットでは、凝縮器として機能する放湿熱交換器から蒸発器として機能する吸湿熱交換器に切り換わった直後は、該吸湿熱交換器の温度がすぐには低下せず、比較的高いため、通過する空気を十分に除湿することができない。そのため、上記除湿ユニットを有する除湿システムでは、所望の湿度（絶対湿度）を超える比較的高湿度の空気が調湿空間に供給され、調湿空間の湿度を一時的に上昇させてしまうおそれがあった。
【０００６】
本発明は、かかる点に鑑みてなされたものであり、その目的は、蒸発器と凝縮器とに交互に切り換わる２つの吸着熱交換器を有する除湿ユニットを用いて調湿空間の除湿を行う除湿システムにおいて、蒸発器と凝縮器との切換に伴う調湿空間の湿度の上昇を抑制することにある。
【課題を解決するための手段】
【０００７】
第１の発明は、圧縮機（41）と膨張機構（42）と表面に吸着剤が設けられた２つの吸着熱交換器（46,47）とが接続され、冷媒の循環方向が交互に切り換えられる冷媒回路（40）を有し、上記２つの吸着熱交換器（46,47）のうちの蒸発器として機能する吸湿熱交換器において空気を除湿する除湿ユニット（30）と、上記吸湿熱交換器を通過した空気を調湿空間（S）へ導く給気通路（11）とを備えた除湿システムであって、上記冷媒回路（40）における冷媒の循環方向の切換時を含む所定期間の間、上記給気通路（11）から上記調湿空間（S）への空気の供給を遮断する給気遮断部（90）を備えている。
【０００８】
第１の発明では、除湿ユニット（30）の冷媒回路（40）において冷媒の循環方向が交互に切り換わることにより、該冷媒回路（40）に接続された２つの吸着熱交換器（46,47）の間において、蒸発器として機能する吸湿熱交換器と凝縮器として機能する放湿熱交換器とが交互に切り換わる。吸湿熱交換器は、通過する空気中の水分を吸着剤に吸着させると共に吸着熱を冷媒に吸収させて空気を除湿する吸着動作を行う。一方、放湿熱交換器は、吸着剤を冷媒で加熱することによって吸着剤から通過する空気中へ水分を脱離させて吸着剤を再生する再生動作を行う。吸湿熱交換器を通過する空気は、該吸湿熱交換器において除湿された後、給気通路（11）を介して調湿空間（S）へ供給される。一方、放湿熱交換器を通過する空気は、該放湿熱交換器において吸着剤から水分を放出させて該吸着剤を再生する。
【０００９】
ところで、上記除湿ユニット（30）では、該除湿ユニット（30）の冷媒回路（40）における冷媒の循環方向が交互に切り換えられ、２つの吸着熱交換器（46,47）の間で凝縮器として機能する放湿熱交換器と蒸発器として機能する吸湿熱交換器とが交互に切り換わる。凝縮器から蒸発器へ切り換わった直後の吸湿熱交換器は、切換直前まで凝縮器として機能していたため、温度が高く、吸着熱が吸収され難い。そのため、空気が、吸湿熱交換器において十分に除湿されないまま、給気通路（11）を介して調湿空間（S）へ供給されるおそれがある。
【００１０】
これに対し、第１の発明では、冷媒回路（40）における冷媒の循環方向の切換時を含む所定期間の間、給気遮断部（90）によって給気通路（11）から調湿空間（S）への空気の供給が遮断される。これにより、冷媒回路（40）における冷媒の循環方向の切り換え直後であって吸湿熱交換器において空気が十分に除湿されない間は、給気通路（11）を介して空気が調湿空間（S）に供給されない。そのため、吸湿熱交換器において十分に除湿されない比較的高湿度の空気が、給気通路（11）を介して調湿空間（S）に供給されることがない。
【００１１】
第２の発明は、第１の発明において、上記給気遮断部（90）は、上記給気通路（11）の上記除湿ユニット（30）と上記調湿空間（S）との間に設けられ、上記給気通路（11）を開閉する給気ダンパ（91）と、上記所定期間の間のみ上記給気ダンパ（91）を閉じる制御部（100）とを有している。
【００１２】
第２の発明では、冷媒回路（40）における冷媒の循環方向の切換時を含む所定期間の間のみ、制御部（100）によって、給気通路（11）の除湿ユニット（30）と調湿空間（S）との間に設けられた給気ダンパ（91）が閉じられる。これにより、上記所定期間の間、給気通路（11）から調湿空間（S）への空気の供給が遮断される。
【００１３】
第３の発明は、第２の発明において、上記給気通路（11）には、上記給気ダンパ（91）が閉じられた際に、該給気ダンパ（91）の上流側の空気を排気する排気通路（50）が接続されている。
【００１４】
第３の発明では、冷媒回路（40）における冷媒の循環方向の切換時を含む所定期間の間、給気ダンパ（91）が閉じられた際に、排気通路（50）により、給気通路（11）の給気ダンパ（91）の上流側の空気が排気される。排気通路（50）がない場合、吸湿熱交換器の下流側の給気ダンパ（91）が閉じられると、該給気ダンパ（91）の上流側において空気が留まるために吸湿熱交換器に空気が流通しなくなる。しかしながら、第３の発明では、排気通路（50）が設けられているため、給気ダンパ（91）が閉じられても、給気通路（11）における給気ダンパ（91）の上流側の空気が排気通路（50）を介して排気されるため、吸湿熱交換器に空気が供給され続ける。よって、吸湿熱交換器が冷媒回路（40）において蒸発器として正常に機能する。
【００１５】
第４の発明は、第２の発明において、上記給気通路（11）には、上記給気ダンパ（91）が閉じられた際に、該給気ダンパ（91）の上流側の空気を上記吸湿熱交換器の上流側に返送する返送通路（61）が接続されている。
【００１６】
第４の発明では、冷媒回路（40）における冷媒の循環方向の切換時を含む所定期間の間、給気ダンパ（91）が閉じられた際に、返送通路（61）により、給気通路（11）の給気ダンパ（91）の上流側の空気が吸湿熱交換器の上流側へ返送される。返送通路（61）がない場合、吸湿熱交換器の下流側の給気ダンパ（91）が閉じられると、該給気ダンパ（91）の上流側において空気が留まるために吸湿熱交換器に空気が流通しなくなる。しかしながら、第４の発明では、返送通路（61）が設けられているため、給気ダンパ（91）が閉じられても、吸湿熱交換器を通過した空気が返送通路（61）を介して吸湿熱交換器の上流側に返送され、吸湿熱交換器の上流側と下流側との間で空気が循環する。これにより、吸湿熱交換器に空気が供給され続けるため、吸湿熱交換器が冷媒回路（40）において蒸発器として正常に機能する。
【００１７】
第５の発明は、第４の発明において、上記返送通路（61）には、該返送通路を開閉する開閉ダンパ（62）が設けられ、上記制御部（100）は、上記所定期間の間にのみ上記開閉ダンパ（62）を開くように構成されている。
【００１８】
第５の発明では、返送通路（61）に開閉ダンパ（62）が設けられ、制御部（100）によって、冷媒回路（40）における冷媒の循環方向の切換時を含む所定期間の間のみ、開閉ダンパ（62）が開かれる。つまり、給気通路（11）から調湿空間（S）への空気の供給を遮断する際にのみ、開閉ダンパ（62）を開いて吸湿熱交換器の下流側の空気を上流側へ返送し、上記所定期間以外の際には、開閉ダンパ（62）を閉じることによって、吸湿熱交換器で除湿された空気が無駄に吸湿熱交換器の上流側へ返送されない。
【００１９】
第６の発明は、第１の発明において、上記２つの吸着熱交換器（46,47）のうちの凝縮器として機能する放湿熱交換器の吸着剤を再生した空気が流れる再生空気通路（12）を備え、上記除湿ユニット（30）は、上記冷媒回路（40）を収容するケーシング（111）と、上記ケーシング（111）内に設けられ、該ケーシング（111）内における空気の流通経路を切り換える複数の内部ダンパ（141〜148）と、上記冷媒回路（40）における冷媒の循環方向の切換に伴い、上記吸湿熱交換器を通過した空気が上記給気通路（11）に導かれ且つ上記放湿熱交換器を通過した空気が上記再生空気通路（12）に導かれる通常状態となるように、上記複数の内部ダンパ（141〜148）の開閉動作を制御する通常制御部（101）とを有し、上記給気遮断部（90）は、上記所定期間の間のみ、上記通常状態から上記吸湿熱交換器と上記給気通路（11）との間において空気の流通が遮断される遮断状態に切り換わるように、上記通常制御部（101）に代わって上記複数の内部ダンパ（141〜148）の開閉動作を制御する遮断制御部（102）を有している。
【００２０】
第６の発明では、冷媒回路（40）における冷媒の循環方向の切換時を含む所定期間以外の際には、通常制御部（101）によって複数の内部ダンパ（141〜148）の開閉動作が制御され、吸湿熱交換器を通過した空気が給気通路（11）に導かれ且つ放湿熱交換器を通過した空気が再生空気通路（12）に導かれる通常状態となる。一方、上記所定期間の間、通常制御部（101）に代わって遮断制御部（102）によって、複数の内部ダンパ（141〜148）の開閉動作が制御され、吸湿熱交換器と給気通路（11）との間において空気の流通が遮断される遮断状態に切り換わる。これにより、上記所定期間の間、給気通路（11）から調湿空間（S）への空気の供給が遮断される。
【００２１】
第７の発明は、第６の発明において、上記遮断制御部（102）は、上記遮断状態において、上記吸湿熱交換器を通過した空気が上記再生空気通路に導かれるように、上記複数の内部ダンパ（141〜148）の開閉動作を制御するように構成されている。
【００２２】
第７の発明では、冷媒回路（40）における冷媒の循環方向の切換時を含む所定期間の間、吸湿熱交換器と給気通路（11）との間において空気の流通が遮断された際に、吸湿熱交換器を通過した空気が再生空気通路に導かれるように複数の内部ダンパの開閉動作が制御される。これにより、吸湿熱交換器と給気通路（11）との間において空気の流通が遮断されても、該吸湿熱交換器を通過した空気が再生空気通路（12）に導かれるため、吸湿熱交換器における空気の流通が滞らず、該吸湿熱交換器に空気が供給され続ける。よって、吸湿熱交換器が冷媒回路（40）において蒸発器として正常に機能する。
【発明の効果】
【００２３】
第１の発明によれば、冷媒回路（40）における冷媒の循環方向の切換時を含む所定期間の間、給気遮断部（90）によって給気通路（11）から調湿空間（S）への空気の供給を遮断することとした。そのため、冷媒回路（40）における冷媒の循環方向の切り換え直後に、吸湿熱交換器の温度が高いために十分に除湿されなかった比較的高湿度の空気が、給気通路（11）を介して調湿空間（S）へ流入するのを防止することができる。従って、蒸発器と凝縮器とに交互に切り換わる２つの吸着熱交換器を有する除湿ユニット（30）を用いて調湿空間（S）の除湿を行う除湿システム（1）において、蒸発器と凝縮器との切換に伴う調湿空間（S）の湿度の上昇を抑制することができる。
【００２４】
また、第２の発明によれば、給気通路（11）の除湿ユニット（30）と調湿空間（S）との間に給気ダンパ（91）を設けると共に、冷媒回路（40）における冷媒の循環方向の切換時を含む所定期間の間のみ上記給気ダンパ（91）を閉じる制御部（100）を設けることとした。これにより、容易な構成で、所定期間の間、給気通路（11）から調湿空間（S）への空気の供給を遮断することができる。また、給気ダンパ（91）を閉じることによって調湿空間（S）への空気の供給を遮断することにより、一度停止すると再起動まで時間がかかるファン等の送風装置を停止して調湿空間（S）への空気の供給を遮断する場合に比べて、速やかに調湿空間（S）への空気の供給を再開することができる。
【００２５】
また、第３の発明によれば、給気ダンパ（91）が閉じられた際に、該給気ダンパ（91）の上流側の空気を排気する排気通路（50）を設けることとした。そのため、冷媒回路（40）における冷媒の循環方向の切換時を含む所定期間の間、給気ダンパ（91）を閉じて給気通路（11）から調湿空間（S）への空気の供給を遮断しても、吸湿熱交換器の下流側において空気が留まらずに排気通路（50）を介して排気されるため、吸湿熱交換器に空気が供給され続ける。よって、除湿ユニット（30）の吸湿熱交換器が冷媒回路（40）において蒸発器として正常に機能する。その結果、冷媒回路（40）の低圧圧力の著しい低下や、吸湿熱交換器の表面での結露や、吸湿熱交換器で蒸発しなかった液冷媒が圧縮機（41）に吸入される所謂液バック等の発生を防止することができる。
【００２６】
また、第４の発明によれば、給気ダンパ（91）が閉じられた際に、給気通路（11）の給気ダンパ（91）の上流側の空気を吸湿熱交換器の上流側に返送する返送通路（61）を設けることとした。そのため、冷媒回路（40）における冷媒の循環方向の切換時を含む所定期間の間、給気ダンパ（91）が閉じられた際に、吸湿熱交換器を通過した空気が、返送通路（61）を介して吸湿熱交換器の上流側に返送され、吸湿熱交換器の上流側と下流側との間で空気が循環する。これにより、吸湿熱交換器に空気が供給され続けるため、吸湿熱交換器が冷媒回路（40）において蒸発器として正常に機能する。その結果、冷媒回路（40）の低圧圧力の著しい低下や、吸湿熱交換器の表面での結露や、吸湿熱交換器で蒸発しなかった液冷媒が圧縮機（41）に吸入される所謂液バック等の発生を防止することができる。
【００２７】
また、第５の発明によれば、返送通路（61）に開閉ダンパ（62）を設け、制御部（100）によって、冷媒回路（40）における冷媒の循環方向の切換時を含む所定期間の間のみ、開閉ダンパ（62）を開くように構成した。これにより、調湿空間（S）への除湿空気の供給を遮断する際にのみ、吸湿熱交換器で除湿された空気を該吸湿熱交換器の上流側へ返送し、調湿空間（S）への空気の供給を遮断しない場合には、吸湿熱交換器で除湿された空気が無駄に吸湿熱交換器の上流側へ返送されないようにすることができる。
【００２８】
また、第６の発明によれば、所定期間の間のみ、通常状態から吸湿熱交換器と給気通路（11）との間において空気の流通が遮断される遮断状態に切り換わるように、通常制御部（101）に代わって、ケーシング（111）内における空気の流通経路を切り換える複数の内部ダンパ（141〜148）の開閉動作を制御する遮断制御部（102）を設けることとした。これにより、複数の内部ダンパ（141〜148）の開閉動作の制御を変更するだけで、構成部品を追加することなく、容易に、所定期間の間、給気通路（11）から調湿空間（S）への空気の供給を遮断する構成を実現することができる。
【００２９】
また、第７の発明によれば、吸湿熱交換器と給気通路（11）との間において空気の流通が遮断された際に、吸湿熱交換器を通過した空気が再生空気通路（12）に導かれるように複数の内部ダンパ（141〜148）の開閉動作を制御することとした。そのため、冷媒回路（40）における冷媒の循環方向の切換時を含む所定期間の間、吸湿熱交換器と給気通路（11）との間において空気の流通が遮断されても、該吸湿熱交換器を通過した空気が再生空気通路（12）に導かれるため、吸湿熱交換器における空気の流通が滞らず、該吸湿熱交換器に空気が供給され続ける。よって、該吸湿熱交換器が冷媒回路（40）において蒸発器として正常に機能する。その結果、冷媒回路（40）の低圧圧力の著しい低下や、吸湿熱交換器の表面での結露や、吸湿熱交換器で蒸発しなかった液冷媒が圧縮機（41）に吸入される所謂液バック等の発生を防止することができる。
【図面の簡単な説明】
【００３０】
【図１】図１は、実施形態１に係る除湿システムの概略構成図である。
【図２】図２は、除湿ユニットの冷媒回路図である。
【図３】図３は、除湿ユニットの内部構造を示す斜視図である。
【図４】図４は、除湿ユニットの構成図であり、図４（Ａ）は平面視図、図４（Ｂ）は左側面視図、図４（Ｃ）は右側面視図である。
【図５】図５は、第１動作中の除湿ユニットの空気の流れを示す図であり、図５（Ａ）は平面視図、図５（Ｂ）は左側面視図、図５（Ｃ）は右側面視図である。
【図６】図６は、第２動作中の除湿ユニットの空気の流れを示す図であり、図６（Ａ）は平面視図、図６（Ｂ）は左側面視図、図６（Ｃ）は右側面視図である。
【図７】図７は、実施形態１に係る除湿システムにおいて、遮断制御中の空気の流れを示す図である。
【図８】図８は、処理空気及び再生空気に含まれる水分量と、四方切換弁の切換タイミングとの関係を示すグラフであり、図８（Ａ）は遮断制御を行わない場合、図８（Ｂ）は遮断制御を行う場合を示している。
【図９】図９は、実施形態１の変形例１に係る除湿システムの概略構成図である。
【図１０】図１０は、実施形態１の変形例１に係る除湿システムにおいて、遮断制御中の空気の流れを示す図である。
【図１１】図１１は、実施形態１の変形例２に係る除湿システムの概略構成図である。
【図１２】図１２は、実施形態１の変形例２に係る除湿システムにおいて、遮断制御中の空気の流れを示す図である。
【図１３】図１３は、実施形態１の変形例３に係る除湿システムの概略構成図である。
【図１４】図１４は、実施形態１の変形例３に係る除湿システムにおいて、遮断制御中の空気の流れを示す図である。
【図１５】図１５は、実施形態１の変形例３に係る除湿システムの第２動作から第１動作へ切り換わる際の遮断制御中の除湿ユニットの空気の流れを示す図であり、図１５（Ａ）は平面視図、図１５（Ｂ）は左側面視図、図１５（Ｃ）は右側面視図である。
【図１６】図１６は、実施形態１の変形例３に係る除湿システムの第１動作から第２動作へ切り換わる際の遮断制御中の除湿ユニットの空気の流れを示す図であり、図１６（Ａ）は平面視図、図１６（Ｂ）は左側面視図、図１６（Ｃ）は右側面視図である。
【図１７】図１７は、実施形態１の変形例４に係る除湿システムにおいて、遮断制御中の空気の流れを示す図である。
【図１８】図１８は、実施形態１の変形例４に係る除湿システムの第２動作から第１動作へ切り換わる際の遮断制御中の除湿ユニットの空気の流れを示す図であり、図１８（Ａ）は平面視図、図１８（Ｂ）は左側面視図、図１８（Ｃ）は右側面視図である。
【図１９】図１９は、実施形態１の変形例４に係る除湿システムの第１動作から第２動作へ切り換わる際の遮断制御中の除湿ユニットの空気の流れを示す図であり、図１９（Ａ）は平面視図、図１９（Ｂ）は左側面視図、図１９（Ｃ）は右側面視図である。
【図２０】図２０は、実施形態２に係る除湿システムの概略の構成図である。
【図２１】図２１は、実施形態３に係る除湿システムの概略の構成図である。
【図２２】図２２は、実施形態４に係る除湿システムの概略の構成図である。
【図２３】図２３は、実施形態５に係る除湿システムの概略の構成図である。
【図２４】図２４は、実施形態５に係る除湿システムにおいて、遮断制御中の空気の流れを示す図である。
【発明を実施するための形態】
【００３１】
以下、本発明の実施形態を図面に基づいて詳細に説明する。
【００３２】
《発明の実施形態１》
図１に示す実施形態１は、表面に吸着剤が設けられた吸着熱交換器（46,47）を有する除湿ユニット（30）を用いて室内空間（調湿空間）（S）を除湿する除湿システム（1）に関するものである。この除湿システム（1）は、室外空気（OA）を除湿して室内へ給気（SA）として供給する換気型の除湿システムである。除湿対象となる室内空間（S）は、例えば、露点が−２０℃〜５℃程度の低露点空気が求められる倉庫（2）の内部空間である。このような倉庫（2）の具体例としては、種子や食品等を保管する倉庫などが挙げられる。倉庫（2）には室内空間（S）と室外とを連通する排気口が形成され、除湿システム（1）によって除湿された室外空気（OA）が給気（SA）として室内空間（S）に供給される一方、室内空間（S）の空気が排気口を介して排気（EA）として室外へ排出される。
【００３３】
除湿システム（1）は、冷却除湿装置（3）と、吸着除湿装置（10）と、分岐通路（4）と、給気通路（11）と、再生空気通路（12）と、コントローラ（100）とを備えている。
【００３４】
冷却除湿装置（3）は、室外空気（OA）を冷却して除湿する冷却器（5）と、該冷却器（5）で凝縮した水を回収するドレンパン（6）とを備えている。冷却器（5）は、例えば、冷媒回路（図示省略）の蒸発器として機能する熱交換器（具体的には、フィンアンドチューブ式の熱交換器）によって構成されている。ドレンパン（6）は、冷却器（5）において凝縮された水を回収する。例えば、ドレンパン（6）は、冷却器（5）において凝縮された水を受け止めることができるように、上面が開口する容器によって構成されて冷却器（5）の下方に配置されている。
【００３５】
吸着除湿装置（10）は、本実施形態では、表面に吸着剤が設けられた２つの吸着熱交換器（46,47）が接続され、蒸気圧縮式の冷凍サイクルを行う冷媒回路（40）（図２参照）を有する１つの除湿ユニット（30）を備えている。詳細については後述するが、除湿ユニット（30）は、冷媒回路（４0）における冷媒の循環方向を交互に切り換えることで２つの吸着熱交換器（46,47）において蒸発器として機能する吸湿熱交換器と凝縮器として機能する放湿熱交換器とを交互に切り換え、吸湿熱交換器で空気を除湿する一方、放湿熱交換器で空気に水分を放出して吸着剤を再生するように構成されている。
【００３６】
分岐通路（4）は、流入端が冷却器（5）に接続される一方、流出端が２つに分岐している。分岐通路（4）の２つの流出端の一方は、除湿ユニット（30）の後述する処理側吸込口（123）に接続され、他方は、除湿ユニット（30）の後述する再生側吸込口（124）に接続されている。分岐通路（4）は、冷却器（5）を通過して除湿された室外空気（OA）を分岐させ、処理側吸込口（123）及び再生側吸込口（124）のそれぞれから除湿ユニット（30）の内部へ流入させる。また、給気通路（11）は、除湿ユニット（30）の吸湿熱交換器において除湿された空気を室内空間（S）に導く。一方、再生空気通路（12）は、除湿ユニット（30）の放湿熱交換器の吸着剤の再生に用いられた空気を吸着除湿装置（10）の外部へ排気する。
【００３７】
〈除湿ユニット〉
−冷媒回路−
除湿ユニット（30）は、図２に示すように、圧縮機（41）、第１吸着熱交換器（46）、膨張弁（42）、第２吸着熱交換器（47）、及び四方切換弁（43）が接続された冷媒回路（40）を備えている。該冷媒回路（40）の各構成部品は、後述するケーシング（111）内に収納されている（図３〜図６を参照）。各吸着熱交換器（46,47）は、本実施形態では、フィンアンドチューブ式の熱交換器の表面に高分子収着剤やＢ型シリカゲル等の吸着剤を担持させることによって構成されている。
【００３８】
四方切換弁（43）は、第１から第４までのポートを有し、第１ポート（P1）が圧縮機（41）の吐出側と、第２ポート（P2）が圧縮機（41）の吸入側と、第３ポート（P3）が第１吸着熱交換器（46）の端部と、第４ポート（P4）が第２吸着熱交換器（47）の端部とそれぞれ接続されている。四方切換弁（43）は、第１ポート（P1）と第３ポート（P3）とが連通すると共に第２ポート（P2）と第４ポート（P4）とが連通する第１状態（図１の実線で示す状態）と、第１ポート（P1）と第４ポート（P4）とが連通すると共に第２ポート（P2）と第３ポート（P3）とが連通する第２状態（図１の破線で示す状態）とに切換可能に構成されている。
【００３９】
−内部構造−
次に、除湿ユニット（30）の具体的な内部構造について、図３及び図４を参照しながら説明する。なお、ここでの説明で用いる「上」「下」「左」「右」「前」「後」「手前」「奥」は、特にことわらない限り、除湿ユニット（30）を前面側から見た場合（図４（Ａ）の下方から上方を見た場合）の方向を意味している。なお、以下の説明では、吸湿熱交換器を通過する空気を処理空気と称し、放湿熱交換器を通過する空気を再生空気と称する。
【００４０】
除湿ユニット（30）は、ケーシング（111）を備えている。ケーシング（111）内には、上記冷媒回路（40）の構成部品である第１吸着熱交換器（46）、第２吸着熱交換器（47）、圧縮機（41）、四方切換弁（43）、及び膨張弁（42）が収容されている。
【００４１】
ケーシング（111）は、やや扁平で高さが比較的低い直方体状に形成されている。このケーシング（111）では、図３における左手前側に前面パネル（112）が、同図における右奥側に背面パネル（113）がそれぞれ立設されている。このケーシング（111）は、前後方向の幅と左右方向の幅とが略同一の長さとなっている。
【００４２】
ケーシング（111）の前面パネル（112）では、左寄りの位置に再生側吹出口（121）が、右寄りの位置に処理側吹出口（122）がそれぞれ開口している。ケーシング（111）の背面パネル（113）の中央部には、上側寄りの位置に処理側吸込口（123）が、下側寄りの位置に再生側吸込口（124）がそれぞれ開口している。
【００４３】
ケーシング（111）の内部空間は、前面パネル（112）側の部分と背面パネル（113）側の部分とに区画されている。
【００４４】
ケーシング（111）内における前面パネル（112）側の空間は、吸着熱交換器（46,47）よりも前面パネル（112）側で、仕切板（115）により、左右２つの空間に仕切られている。この左右に仕切られた２つの空間は、左寄りの空間が再生側ファン室（135）を、右寄りの空間が処理側ファン室（136）をそれぞれ構成している。
【００４５】
再生側ファン室（135）には、再生側吹出口（121）が設けられている。また、再生側ファン室（135）には、再生空気ファン（125）が収容され、該再生空気ファン（125）の送風口が、再生側吹出口（121）に接続されている。該再生側吹出口（121）には、ケーシング（111）の外部において延びる再生空気通路（12）を構成するダクトが接続されている。
【００４６】
処理側ファン室（136）には、処理側吹出口（122）が設けられている。また、処理側ファン室（136）には、給気ファン（126）が収容され、該給気ファン（126）の送風口が処理側吹出口（122）の内側に接続されている。該処理側吹出口（122）には、ケーシング（111）の外部において延びる給気通路（11）を構成するダクトが接続されている。また、処理側ファン室（136）には、圧縮機（41）が収容されている。
【００４７】
一方、ケーシング（111）内の背面パネル（113）側の空間は、ケーシング（111）内に立設された第１仕切板（116）及び第２仕切板（117）によって前後３つの空間に仕切られている。これら仕切板（116,117）は、ケーシング（111）の左右方向に延びている。第１仕切板（116）は上記背面パネル（113）寄りに、第２仕切板（117）は前面パネル（112）寄りにそれぞれ配置されている。
【００４８】
ケーシング（111）内において、第１仕切板（116）の奥の空間は上下２つの空間に仕切られており、上側の空間が処理側流入路（132）を、下側の空間が再生側流入路（134）をそれぞれ構成している。処理側流入路（132）は、処理側吸込口（123）と連通している。この処理側流入路（132）には、ケーシング（111）の左右の内壁に亘って横断するように処理側フィルタ（161）が配置されている。この処理側フィルタ（161）は、処理側吸込口（123）から取り込まれる処理空気中の塵埃を捕集する。再生側流入路（134）は再生側吸込口（124）と連通している。この再生側流入路（134）には、ケーシング（111）の左右の内壁に亘って横断するように再生側フィルタ（162）が配置されている。この再生側フィルタ（162）は、再生側吸込口（124）から取り込まれる再生空気中の塵埃を捕集する。
【００４９】
第２仕切板（117）の手前の空間は上下２つの空間に仕切られており、上側の空間が再生側流出路（131）を、下側の空間が処理側流出路（133）を構成している。再生側流出路（131）は、再生側ファン室（135）と連通している。処理側流出路（133）は、処理側ファン室（136）と連通している。
【００５０】
第１仕切板（116）と第２仕切板（117）との間の空間は、更に中央仕切板（118）によって左右２つの空間に仕切られている。そして、中央仕切板（118）の右側の空間が第１熱交換器室（137）を構成し、その左側の空間が第２熱交換器室（138）を構成している。第１熱交換器室（137）には第１吸着熱交換器（46）が、第２熱交換器室（138）には第２吸着熱交換器（47）がそれぞれ収容されている。これら２つの吸着熱交換器（46,47）は、それぞれが収容される熱交換器室（137,138）を左右方向へ横断するように配置されている。
【００５１】
第１仕切板（116）には、開閉式のダンパ（141〜144）が４つ設けられている。具体的に、第１仕切板（116）では、右側の上部に第１ダンパ（141）が、左側の上部に第２ダンパ（142）が、右側の下部に第３ダンパ（143）が、左側の下部に第４ダンパ（144）がそれぞれ取り付けられている。第１ダンパ（141）を開くと、処理側流入路（132）と第１熱交換器室（137）が連通する。第２ダンパ（142）を開くと、処理側流入路（132）と第２熱交換器室（138）が連通する。第３ダンパ（143）を開くと、再生側流入路（134）と第１熱交換器室（137）が連通する。第４ダンパ（144）を開くと、再生側流入路（134）と第２熱交換器室（138）が連通する。これ第１〜第４ダンパ（141〜144）により、第１流路切換部（151）が構成されている。
【００５２】
第２仕切板（117）には、開閉式のダンパ（145〜148）が４つ設けられている。具体的に、第２仕切板（117）では、右側の上部に第５ダンパ（145）が、左側の上部に第６ダンパ（146）が、右側の下部に第７ダンパ（147）が、左側の下部に第８ダンパ（148）がそれぞれ取り付けられている。第５ダンパ（145）を開くと、再生側流出路（131）と第１熱交換器室（137）が連通する。第６ダンパ（146）を開くと、再生側流出路（131）と第２熱交換器室（138）が連通する。第７ダンパ（147）を開くと、処理側流出路（133）と第１熱交換器室（137）が連通する。第８ダンパ（148）を開くと、処理側流出路（133）と第２熱交換器室（138）が連通する。これらの第５〜第８ダンパ（145〜148）により、第２流路切換部（152）が構成されている。
【００５３】
上記除湿ユニット（30）では、２つの吸着熱交換器（46,47）は、一方が蒸発器として機能する吸湿熱交換器となり、他方が凝縮器として機能する放湿熱交換器となる。また、２つの吸着熱交換器（46,47）は、所定のタイミング（例えば３分間隔や５分間隔）で吸湿熱交換器と放湿熱交換器とに交互に切り換えられる。上記ケーシング（111）は、２つの吸着熱交換器（46,47）が吸湿熱交換器と放湿熱交換器とに切り換わるのに合わせて、第１流路切換部（151）及び第２流路切換部（152）を構成する第１〜第８ダンパ（141〜148）の開閉動作を切り換えることにより、吸湿熱交換器を通過して除湿された空気が給気通路（11）に導かれ、放湿熱交換器を通過した空気が再生空気通路（12）に導かれるようにケーシング（111）内における空気の流通経路が切り換えられる。具体的には、第１〜第８ダンパ（141〜148）の開閉動作を切り換えることにより、第１吸着熱交換器（46）を通過した再生空気が再生側ファン室（135）を流れると共に第２吸着熱交換器（47）を通過した処理空気が処理側ファン室（136）を流れる第１空気流通状態（図１の実線を参照）と、第１吸着熱交換器（46）を通過した処理空気が処理側ファン室（136）を流れると共に第２吸着熱交換器（47）を通過した再生空気が再生側ファン室（135）を流れる第２空気流通状態（図１の破線を参照）とに切り換えられる。
【００５４】
〈給気通路〉
図１に示すように、上記給気通路（11）は、除湿ユニット（30）の処理側吹出口（122）と室内空間（S）を接続している。給気通路（11）は、除湿ユニット（30）が第１空気流通状態の際に、第２熱交換器室（138）に連通し、第２吸着熱交換器（47）を通過して除湿された室外空気（OA）を室内空間（S）へ導く。一方、給気通路（11）は、除湿ユニット（30）が第２空気流通状態の際に、第１熱交換器室（137）に連通し、第１吸着熱交換器（46）を通過して除湿された室外空気（OA）を室内空間（S）へ導く。
【００５５】
〈再生空気通路〉
上記再生空気通路（12）は、除湿ユニット（30）の再生側吹出口（121）と室外とを接続している。再生空気通路（12）は、除湿ユニット（30）が第１空気流通状態の際に、第１熱交換器室（137）に連通し、第１吸着熱交換器（46）を通過して該第１吸着熱交換器（46）の吸着剤から水分を脱離させることによって該吸着剤を再生させた室外空気（OA）を室外へ導く。一方、再生空気通路（12）は、除湿ユニット（30）が第２空気流通状態の際に、第２熱交換器室（138）に連通し、第２吸着熱交換器（47）を通過して該第２吸着熱交換器（47）の吸着剤から水分を脱離させることによって該吸着剤を再生させた室外空気（OA）を室外へ導く。
【００５６】
〈コントローラ〉
コントローラ（100）は、冷却除湿装置（3）の冷却器（5）が接続された冷媒回路において冷媒が循環するように圧縮機や膨張機構等の動作を制御すると共に、除湿ユニット（30）の各ファン（125,126）、圧縮機（41）、膨張弁（42）、四方切換弁（43）、第１〜第８ダンパ（141〜148）の動作を制御して除湿運転を実行する。具体的には、コントローラ（100）は、冷却除湿装置（3）の圧縮機を起動すると共に膨張機構を所定開度に制御し、除湿ユニット（30）の各ファン（125,126）を所定風量で作動させ、圧縮機（41）を起動し、膨張弁（42）を所定開度に制御して除湿運転を行う。また、コントローラ（100）は、四方切換弁（43）を、所定のタイミング（例えば３分間隔や５分間隔）で第１状態と第２状態とに切り換える。さらに、コントローラ（100）は、四方切換弁（43）が第１状態の際に、ケーシング（111）内における空気の流通経路が第１空気流通状態となるように、第２ダンパ（142）、第３ダンパ（143）、第５ダンパ（145）、第８ダンパ（148）を開く一方、第１ダンパ（141）、第４ダンパ（144）、第６ダンパ（146）、第７ダンパ（147）を閉じる。一方、コントローラ（100）は、四方切換弁（43）が第２状態の際に、ケーシング（111）内における空気の流通経路が第２空気流通状態となるように、第１ダンパ（141）、第４ダンパ（144）、第６ダンパ（146）、第７ダンパ（147）を開く一方、第２ダンパ（142）、第３ダンパ（143）、第５ダンパ（145）、第８ダンパ（148）を閉じる。
【００５７】
〈給気遮断部〉
ところで、各吸着熱交換器（46,47）は、冷媒回路（40）において冷媒の循環方向が交互に切り換えられることにより、吸湿熱交換器と放湿熱交換器とに交互に切り換わる。この切換により、各吸着熱交換器（46,47）が切換直後から高温又は低温になる訳ではなく、切換後、徐々に温度が上昇又は低下する。そのため、放湿熱交換器から吸湿熱交換器に切り換わった直後は、該吸湿熱交換器の温度が比較的高いため、通過する空気を十分に除湿することができない。そこで、上記除湿システム（1）では、冷媒回路（40）における冷媒の循環方向の切換時を含む所定期間Ｔ１の間、給気通路（11）から室内空間（S）への処理空気の供給を遮断する給気遮断部（90）を設けている。
【００５８】
給気遮断部（90）は、本実施形態では、給気通路（11）の除湿ユニット（30）と室内空間（S）との間に設けられた給気ダンパ（91）と、該給気ダンパ（91）の開閉動作を制御する制御部とによって構成されている。本実施形態では、制御部は、コントローラ（100）によって構成されている。
【００５９】
給気ダンパ（91）は、開閉式のダンパによって構成されている。給気ダンパ（91）が開状態となると、給気通路（11）が開かれて空気が流通する状態となり、給気ダンパ（91）が閉状態となると、給気通路（11）が給気ダンパ（91）によって閉塞されて空気の流通が遮断された状態となる。
【００６０】
コントローラ（100）は、上記除湿運転中に、四方切換弁（43）の切換時を含む所定期間Ｔ１の間、給気ダンパ（91）を閉状態とする一方、上記所定期間Ｔ１以外の際には、給気ダンパ（91）を開状態とするように構成されている。
【００６１】
上記所定期間Ｔ１は、四方切換弁（43）の切換時又は切換前に開始され、四方切換弁（43）の切換から所定時間ｔ経過後に終了するように設定されている。所定時間ｔは、四方切換弁（43）の切り換えに伴って、放湿熱交換器が収容される放湿熱交換器室から、吸湿熱交換器が収容される吸湿熱交換器室となった第１熱交換器室（137）又は第２熱交換器室（138）内に残留した再生空気が所望の絶対湿度となるまで除湿されるのに十分な時間に設定されている。本実施形態では、給気ダンパ（91）が開状態となる所定期間Ｔ１は、四方切換弁（43）の切換時の２秒前から切換時の１３秒後までの１５秒間に設定されている。
【００６２】
−運転動作−
次に、除湿システム（1）の運転動作について説明する。
【００６３】
〈除湿ユニットの動作〉
まず、除湿ユニット（30）の動作を説明する。除湿システム（1）の運転時には、コントローラ（100）からの制御指令により、除湿ユニット（30）が、第１動作（図５参照）と第２動作（図６参照）とを所定時間おきに交互に行う。
【００６４】
除湿ユニット（30）では、給気ファン（126）及び再生空気ファン（125）が運転される。給気ファン（126）の運転が開始されると、冷却除湿装置（3）の冷却器（5）を通過して除湿された室外空気（OA）が処理側吸込口（123）からケーシング（111）内へ処理空気として取り込まれる。再生空気ファン（125）の運転が開始されると、冷却除湿装置（3）の冷却器（5）を通過して除湿された室外空気（OA）が再生側吸込口（124）からケーシング（111）内へ再生空気として取り込まれる。
【００６５】
第１動作では、第２吸着熱交換器（47）で空気を除湿すると同時に、第１吸着熱交換器（46）の吸着剤を再生する。
【００６６】
具体的に、第１動作中の冷媒回路（40）では、四方切換弁（43）が図２の実線の状態となり、膨張弁（42）が所定開度に制御される。第１流路切換部（151）は、処理側流入路（132）と第２吸着熱交換器（47）の収容室（第２熱交換器室（138））とを連通させ、且つ再生側流入路（134）と第１吸着熱交換器（46）の収容室（第１熱交換器室（137））とを連通させる。また、第２流路切換部（152）は、第２吸着熱交換器（47）の収容室（第２熱交換器室（138））と処理側流出路（133）とを連通させ、且つ第１吸着熱交換器（46）の収容室（第１熱交換器室（137））と再生側流出路（131）とを連通させる。
【００６７】
第１動作において、圧縮機（41）で圧縮された冷媒は、四方切換弁（43）を通過して、第１吸着熱交換器（46）を流れる。第１吸着熱交換器（46）では、冷媒によって吸着剤が加熱され、吸着剤中の水分が空気へ放出される。第１吸着熱交換器（46）で放熱して凝縮した冷媒は、膨張弁（42）で減圧された後、第２吸着熱交換器（47）を流れる。第２吸着熱交換器（47）では、空気中の水分が吸着剤に吸着され、この際に生じる吸着熱が冷媒に付与される。第２吸着熱交換器（47）で吸熱して蒸発した冷媒は、圧縮機（41）に吸入されて圧縮される。
【００６８】
また、図５に示すように、第１動作中のケーシング（111）内では、第２ダンパ（142）、第３ダンパ（143）、第５ダンパ（145）及び第８ダンパ（148）が開状態となり、残りの第１ダンパ（141）、第４ダンパ（144）、第６ダンパ（146）及び第７ダンパ（147）が閉状態となって空気の流通経路が第１空気流通状態となる。
【００６９】
処理側吸込口（123）から処理側流入路（132）へ流入した処理空気は、第２ダンパ（142）を通って第２熱交換器室（138）へ流入し、その後に第２吸着熱交換器（47）を通過する。第２吸着熱交換器（47）では、処理空気中の水分が吸着剤に吸着される。第２吸着熱交換器（47）で除湿された処理空気は、第８ダンパ（148）を通って処理側流出路（133）へ流入し、処理側ファン室（136）を通過後に処理側吹出口（122）を通ってケーシング（111）から排出される。
【００７０】
一方、再生側吸込口（124）から再生側流入路（134）へ流入した再生空気は、第３ダンパ（143）を通って第１熱交換器室（137）へ流入し、その後に第１吸着熱交換器（46）を通過する。第１吸着熱交換器（46）では、冷媒で加熱された吸着剤から水分が脱離し、この脱離した水分が再生空気に付与される。第１吸着熱交換器（46）で水分を付与された再生空気は、第５ダンパ（145）を通って再生側流出路（131）へ流入し、再生側ファン室（135）を通過後に再生側吹出口（121）を通ってケーシング（111）から排出される。
【００７１】
第２動作では、第１吸着熱交換器（46）で空気を除湿すると同時に、第２吸着熱交換器（47）の吸着剤を再生する。
【００７２】
第２動作中の冷媒回路（40）では、四方切換弁（43）が図２の破線の状態となり、膨張弁（42）が所定開度に制御される。第１流路切換部（151）は、処理側流入路（132）と第１吸着熱交換器（46）の収容室（第１熱交換器室（137））とを連通させ、且つ再生側流入路（134）と第２吸着熱交換器（47）の収容室（第２熱交換器室（138））とを連通させる。また、第２流路切換部（152）は、第１吸着熱交換器（46）の収容室（第１熱交換器室（137））と処理側流出路（133）とを連通させ、且つ第２吸着熱交換器（47）の収容室（第２熱交換器室（138））と再生側流出路（131）とを連通させる。
【００７３】
第２動作において、圧縮機（41）で圧縮された冷媒は、四方切換弁（43）を通過して、第２吸着熱交換器（47）を流れる。第２吸着熱交換器（47）では、冷媒によって吸着剤が加熱され、吸着剤中の水分が空気へ放出される。第２吸着熱交換器（47）で放熱して凝縮した冷媒は、膨張弁（42）で減圧された後、第１吸着熱交換器（46）を流れる。第１吸着熱交換器（46）では、空気中の水分が吸着剤に吸着され、この際に生じる吸着熱が冷媒に付与される。第１吸着熱交換器（46）で吸熱して蒸発した冷媒は、圧縮機（41）に吸入されて圧縮される。
【００７４】
また、図６に示すように、第２動作中のケーシング（111）内では、第１ダンパ（141）、第４ダンパ（144）、第６ダンパ（146）及び第７ダンパ（147）が開状態となり、残りの第２ダンパ（142）、第３ダンパ（143）、第５ダンパ（145）及び第８ダンパ（142,143,145,148）が閉状態となって空気の流通経路が第２空気流通状態となる。
【００７５】
処理側吸込口（123）から処理側流入路（132）へ流入した処理空気は、第１ダンパ（141）を通って第１熱交換器室（137）へ流入し、その後に第１吸着熱交換器（46）を通過する。第１吸着熱交換器（46）では、処理空気中の水分が吸着剤に吸着される。第１吸着熱交換器（46）で除湿された処理空気は、第７ダンパ（147）を通って処理側流出路（133）へ流入し、処理側ファン室（136）を通過後に処理側吹出口（122）を通ってケーシング（111）から排出される。
【００７６】
一方、再生側吸込口（124）から再生側流入路（134）へ流入した再生空気は、第４ダンパ（144）を通って第２熱交換器室（138）へ流入し、その後に第２吸着熱交換器（47）を通過する。第２吸着熱交換器（47）では、冷媒で加熱された吸着剤から水分が脱離し、この脱離した水分が再生空気に付与される。第２吸着熱交換器（47）で水分を付与された再生空気は、第６ダンパ（146）を通って再生側流出路（131）へ流入し、再生側ファン室（135）を通過後に再生側吹出口（121）を通ってケーシング（111）から排出される。
【００７７】
〈除湿システムの動作〉
本実施形態の除湿システム（1）では、コントローラ（100）により、除湿運転が実行される。具体的には、コントローラ（100）からの制御指令により、冷却除湿装置（3）の冷媒回路において冷媒が循環し、除湿ユニット（30）において上述の第１動作と第２動作とが交互に行われる。これにより、除湿システム（1）の冷却除湿装置（3）に取り込まれた室外空気（OA）が、冷媒回路において蒸発器として機能する冷却器（5）を通過する際に、内部を流通する冷媒によって冷却される（６℃〜１５℃程度）。その結果、室外空気（OA）中の蒸気の一部が凝縮することにより、室外空気（OA）が除湿される。冷却除湿装置（3）で除湿された室外空気（OA）は、分岐通路（4）において分岐され、除湿ユニット（30）の処理側吸込口（123）と再生側吸込口（124）とに導かれる。
【００７８】
本実施形態の除湿システム（1）では、上記除湿運転中において、除湿ユニット（30）の四方切換弁（43）の切換時を含む所定期間Ｔ１以外の際には、図１に示すように、冷却除湿装置（3）で除湿された室外空気（OA）が、除湿ユニット（30）の冷媒回路（40）において蒸発器として機能する吸湿熱交換器と凝縮器として機能する放湿熱交換器とに供給される。吸湿熱交換器に供給された空気は、該吸湿熱交換器において除湿され（露点が−２０℃〜５℃程度）、給気通路（11）を介して給気（SA）として室内空間（S）に供給される。一方、放湿熱交換器に供給された空気は、放湿熱交換器の吸着剤から水分を脱離させて該吸着剤を再生した後、排気（EA）として室外へ排出される。
【００７９】
一方、本実施形態の除湿システム（1）では、上記除湿運転中であって四方切換弁（43）の切換時を含む所定期間Ｔ１の間には、図７に示すように、給気遮断部（90）により、給気通路（11）から室内空間（S）への処理空気の供給が遮断される遮断制御が実行される。具体的には、コントローラ（100）が、給気ダンパ（91）を閉状態に制御することにより、除湿ユニット（30）から室内空間（S）への処理空気の流入を阻止する。その結果、四方切換弁（43）の切り換え前後の所定期間Ｔ１の間、給気通路（11）から室内空間（S）への処理空気の供給が遮断される。このような遮断制御により、上記除湿ユニット（30）では、除湿が不十分な高湿度の処理空気が室内空間（S）に供給されなくなる。以下、遮断制御が室内空間（S）の湿度に与える影響について、遮断制御を行わない場合と遮断制御を行う場合とを対比して述べる。
【００８０】
上記除湿ユニット（30）において遮断制御を行わない場合、放湿熱交換器から吸湿熱交換器へ切り換わった直後の吸湿熱交換器は、比較的温度が高く、処理空気を十分に除湿できないため、除湿が不十分な高湿度の処理空気が室内空間（S）へ供給されるおそれがある。また、吸湿熱交換器を収容する吸湿熱交換器室には、水分を多く含む再生空気が残留しているため、このような残留した高湿度の再生空気が給気通路（11）を介して室内空間（S）へ供給されるおそれがある。
【００８１】
具体的には、図８（Ａ）に示すように、例えば、第２動作から第１動作に切り換わる際に、放湿熱交換器から吸湿熱交換器となったばかりの第２吸着熱交換器（47）は、温度が高く、処理空気を十分に除湿することができないため、除湿が不十分な高湿度の処理空気が室内空間（S）へ供給されるおそれがある。また、第２動作から第１動作に切り換わった直後の第２吸着熱交換器室（138）には、水分を多く含む再生空気が残留しているため、このような残留した高湿度の再生空気が給気通路（11）を介して室内空間（S）に供給されるおそれがある。そのため、遮断制御を行わない場合、比較的高湿度の空気が室内空間（S）に供給され、室内空間（S）の湿度を一時的に上昇させてしまうおそれがある。
【００８２】
これに対し、上記除湿ユニット（30）において遮断制御を行う場合、給気遮断部（90）により、四方切換弁（43）の切換時を含む所定期間Ｔ１の間、給気通路（11）から室内空間（S）への処理空気の供給が遮断される。そのため、図８（Ｂ）に示すように、例えば、第２動作から第１動作に切り換わる際には、放湿熱交換器から吸湿熱交換器となった第２吸着熱交換器（47）が収容された第２吸着熱交換器室（138）に再生空気が残留しても、該再生空気がそのまま給気通路（11）を介して室内空間（S）に供給されることなく、所定期間Ｔ１の間に、処理空気と共に第２吸着熱交換器（47）において所望の絶対湿度となるまで除湿される。そして、所定期間Ｔ１が終了した後に、給気通路（11）から室内空間（S）への処理空気の供給が再開され、第２吸着熱交換器（47）において十分に除湿された処理空気が室内空間（S）に供給される。このように、上記除湿ユニット（30）では、遮断制御を行うことにより、除湿が不十分な高湿度の処理空気が室内空間（S）に供給されなくなる。よって、遮断制御を行う場合、高湿度の空気が室内空間（S）に供給されるおそれがないため、室内空間（S）の湿度を一時的に上昇させてしまうおそれがない。
【００８３】
−実施形態１の効果−
本実施形態１によれば、冷媒回路（40）における冷媒の循環方向の切換時を含む所定期間Ｔ１の間、給気遮断部（90）によって給気通路（11）から室内空間（S）への処理空気の供給を遮断することとした。そのため、冷媒回路（40）における冷媒の循環方向の切り換え直後に、吸湿熱交換器の温度が高いために十分に除湿されなかった比較的高湿度の空気が、給気通路（11）を介して室内空間（S）へ流入するのを防止することができる。従って、蒸発器と凝縮器とに交互に切り換わる２つの吸着熱交換器を有する除湿ユニット（30）を用いて室内空間（S）の除湿を行う除湿システム（1）において、蒸発器と凝縮器との切換に伴う室内空間（S）の湿度の上昇を抑制することができる。
【００８４】
また、本実施形態１によれば、給気通路（11）の除湿ユニット（30）と室内空間（S）との間に給気ダンパ（91）を設けると共に、コントローラ（100）（遮断制御部）によって、冷媒回路（40）における冷媒の循環方向の切換時を含む所定期間Ｔ１の間のみ上記給気ダンパ（91）を閉じることとした。これにより、容易な構成で、所定期間Ｔ１の間、給気通路（11）から室内空間（S）への処理空気の供給を遮断することができる。また、給気ダンパ（91）を閉じることによって室内空間（S）への処理空気の供給を遮断することにより、一度停止すると再起動まで時間がかかる給気ファン（126）を停止して室内空間（S）への処理空気の供給を遮断する場合に比べて、速やかに室内空間（S）への処理空気の供給を再開することができる。
【００８５】
−実施形態１の変形例−
（変形例１）
実施形態１の変形例１の除湿システム（1）には、図９及び図１０に示すように、接続通路（51）と排気ダンパ（52）とが設けられている。接続通路（51）は、給気通路（11）の給気ダンパ（91）の上流側の部分と再生空気通路（12）とを接続する。排気ダンパ（52）は、開閉式のダンパであり、接続通路（51）に設けられて該接続通路（51）を開閉する。排気ダンパ（52）は、開閉動作がコントローラ（100）によって制御される。具体的には、コントローラ（100）は、給気ダンパ（91）が開状態の際に、排気ダンパ（52）を閉状態とする一方、給気ダンパ（91）が閉状態の際に、排気ダンパ（52）を開状態とするように構成されている。つまり、排気ダンパ（52）は、コントローラ（100）により、給気ダンパ（91）が閉じられる所定期間Ｔ１のみ、即ち、冷媒回路（40）における冷媒の循環方向の切換時を含む所定期間Ｔ１の間のみ、開状態に切り換えられて接続通路（51）における空気の流通を許容し、所定期間Ｔ１以外の際には閉状態に切り換えられて接続通路（51）における空気の流通を遮断する。
【００８６】
このような構成により、実施形態１の変形例１の除湿システム（1）では、図９に示すように、除湿システム（1）の運転中であって、冷媒回路（40）における冷媒の循環方向の切換時を含む所定期間Ｔ１以外の際には、除湿システム（1）の吸湿熱交換器において除湿された空気が、給気通路（11）を介して給気（SA）として室内空間（S）に供給される一方、放湿熱交換器において吸着剤を再生させた空気が、排気（EA）として室外へ排出される。一方、図１０に示すように、除湿システム（1）の運転中であって、冷媒回路（40）における冷媒の循環方向の切換時を含む所定期間Ｔ１には、給気ダンパ（91）が閉状態となる一方、排気ダンパ（52）が開状態となるため、除湿システム（1）の吸湿熱交換器において除湿された空気が、給気通路（11）から室内空間（S）へ供給されずに接続通路（51）を介して再生空気通路（12）へ流入する。再生空気通路（12）へ流入した除湿空気は、放湿熱交換器で吸着剤を再生した空気と共に排気（EA）として室外へ排出される。つまり、接続通路（51）及び再生空気通路（12）は、給気通路（11）に接続され、給気ダンパ（91）が閉じられた際に、給気通路（11）の給気ダンパ（91）の上流側の空気を排気する排気通路（50）を構成する。
【００８７】
このような実施形態１の変形例１によれば、給気ダンパ（91）が閉じられた際に、給気通路（11）における給気ダンパ（91）の上流側の空気を排気する排気通路（50）を設け、給気ダンパ（91）が閉じられた際に、給気通路（11）の給気ダンパ（91）の上流側の空気を排気することとした。そのため、冷媒回路（40）における冷媒の循環方向の切換時を含む所定期間Ｔ１に給気ダンパ（91）を閉状態として給気通路（11）から室内空間（S）への処理空気の供給を遮断しても、吸湿熱交換器の下流側において空気が留まらずに排気通路（50）を介して排気されるため、除湿ユニット（30）の吸湿熱交換器に空気が供給され続ける。よって、除湿ユニット（30）の吸湿熱交換器が冷媒回路（40）において蒸発器として正常に機能する。その結果、冷媒回路（40）の低圧圧力の著しい低下や、吸湿熱交換器の表面での結露や、吸湿熱交換器で蒸発しなかった液冷媒が圧縮機（41）に吸入される所謂液バック等の発生を防止することができる。
【００８８】
（変形例２）
実施形態１の変形例２の除湿システム（1）には、図１１、図１２に示すように、返送通路（61）と返送ダンパ（開閉ダンパ）（62）とが設けられている。返送通路（61）は、給気通路（11）の給気ダンパ（91）の上流側の部分と、分岐通路（4）における除湿ユニット（30）の処理側吸込口（123）側の分岐部とを接続している。返送ダンパ（62）は、開閉式のダンパであり、返送通路（61）に設けられて該返送通路（61）を開閉する。返送ダンパ（62）は、開閉動作がコントローラ（100）によって制御される。具体的には、コントローラ（100）は、給気ダンパ（91）が開状態の際に、返送ダンパ（62）を閉状態とする一方、給気ダンパ（91）が閉状態の際に、返送ダンパ（62）を開状態とするように構成されている。つまり、返送ダンパ（62）は、コントローラ（100）により、給気ダンパ（91）が閉じられる所定期間Ｔ１のみ、即ち、冷媒回路（40）における冷媒の循環方向の切換時を含む所定期間Ｔ１の間のみ、開状態に切り換えられて返送通路（61）における空気の流通を許容し、所定期間Ｔ１以外の際には閉状態に切り換えられて返送通路（61）における空気の流通を遮断する。
【００８９】
このような構成により、実施形態１の変形例２の除湿システム（1）では、図１１に示すように、除湿システム（1）の運転中であって、冷媒回路（40）における冷媒の循環方向の切換時を含む所定期間Ｔ１以外の際には、除湿システム（1）の吸湿熱交換器において除湿された空気が、給気通路（11）を介して給気（SA）として室内空間（S）に供給される一方、放湿熱交換器において吸着剤を再生させた空気が、排気（EA）として室外へ排出される。一方、図１２に示すように、除湿システム（1）の運転中であって、冷媒回路（40）における冷媒の循環方向の切換時を含む所定期間Ｔ１には、給気ダンパ（91）が閉状態となる一方、返送ダンパ（62）が開状態となるため、除湿システム（1）の吸湿熱交換器において除湿された空気が、給気通路（11）から室内空間（S）へ供給されずに返送通路（61）を介して処理側吸込口（123）へ返送される。返送された空気は、処理側吸込口（123）から除湿ユニット（30）に流入し、再び吸湿熱交換器を通過する。つまり、上記所定期間Ｔ１の間、返送ダンパ（62）が開状態となることにより、除湿ユニット（30）の吸湿熱交換器の上流側と下流側と間において空気が循環する。これにより、冷媒回路（40）における冷媒の循環方向の切換直後、吸湿熱交換器の温度が高く、処理空気が十分に除湿されない場合であっても、この除湿が不十分な空気が室内空間（S）に供給されず、吸湿熱交換器を複数回通過して繰り返し除湿されることとなる。そして、所定期間Ｔ１が終了した後に、給気通路（11）から室内空間（S）への処理空気の供給が再開され、所望の温度まで低下した吸湿熱交換器において十分に除湿された処理空気が室内空間（S）に供給される。
【００９０】
このような実施形態１の変形例２によれば、給気ダンパ（91）が閉じられた際に、給気通路（11）における給気ダンパ（91）の上流側の空気を吸湿熱交換器の上流側に返送する返送通路（61）を設けることとした。そのため、給気ダンパ（91）が閉じられた際に、吸湿熱交換器を通過した空気が、返送通路（61）を介して吸湿熱交換器の上流側に返送され、吸湿熱交換器の上流側と下流側との間で空気が循環する。これにより、冷媒回路（40）における冷媒の循環方向の切換時を含む所定期間Ｔ１に給気ダンパ（91）を閉状態として給気通路（11）から室内空間（S）への処理空気の供給を遮断しても、吸湿熱交換器に空気が供給され続けるため、吸湿熱交換器が冷媒回路（40）において蒸発器として正常に機能する。その結果、冷媒回路（40）の低圧圧力の著しい低下や、吸湿熱交換器の表面での結露や、吸湿熱交換器で蒸発しなかった液冷媒が圧縮機（41）に吸入される所謂液バック等の発生を防止することができる。
【００９１】
なお、本実施形態１の変形例２では、返送ダンパ（62）を設けていたが、返送ダンパ（62）を設けずに、返送通路（61）のみを設けることとしてもよい。この場合、変形例２と同様に、給気ダンパ（91）を閉じた際に、給気通路（11）の吸湿熱交換器の上流側において空気を留まらせずに吸湿熱交換器の空気を供給し続けることができるため、吸湿熱交換器を冷媒回路（40）において蒸発器として正常に機能させることができる。一方、返送ダンパ（62）が設けられていないと、給気ダンパ（91）が開状態である際にも、吸湿熱交換器を通過した空気の一部が返送通路（61）を介して吸湿熱交換器の上流側に返送されるため、室内空間（S）に供給される給気（SA）の風量は低減するが、吸湿熱交換器を複数回通過して繰り返し除湿されることで、より低露点の処理空気を室内空間（S）に供給することができる。このような場合であっても、変形例２と同様の効果を奏する。
【００９２】
（変形例３）
実施形態１の変形例３は、給気遮断部（90）の構成を変更したものである。具体的には、変形例３では、図１３、図１４に示すように、給気ダンパ（91）が設けられず、コントローラ（100）に、通常の除湿運転の際に、第１〜第８ダンパ（141〜148）の開閉動作を制御する通常制御部（101）と、冷媒回路（40）における冷媒の循環方向の切換時を含む所定期間Ｔ１の間のみ、通常制御部（101）に代わって第１〜第８ダンパ（141〜148）の開閉動作を制御する遮断制御部（102）とが設けられている。そして、遮断制御部（102）が給気遮断部（90）を構成している。なお、変形例３では、所定期間Ｔ１は、四方切換弁（43）の切換時に開始されるように設定されている。
【００９３】
通常制御部（101）は、図１３に示すように、吸湿熱交換器を通過した空気が給気通路（11）に導かれ且つ放湿熱交換器を通過した空気が再生空気通路（12）に導かれる通常状態（第１空気流通状態又は第２空気流通状態）となるように、第１〜第８ダンパ（141〜148）の開閉動作を制御する。具体的には、通常制御部（101）は、四方切換弁（43）が第１状態の際に、第２ダンパ（142）、第３ダンパ（143）、第５ダンパ（145）、第８ダンパ（148）を開く一方、第１ダンパ（141）、第４ダンパ（144）、第６ダンパ（146）、第７ダンパ（147）を閉じて第１空気流通状態とし、四方切換弁（43）が第２状態の際に、第１ダンパ（141）、第４ダンパ（144）、第６ダンパ（146）、第７ダンパ（147）を開く一方、第２ダンパ（142）、第３ダンパ（143）、第５ダンパ（145）、第８ダンパ（148）を閉じて第２空気流通状態とする。
【００９４】
一方、遮断制御部（102）は、図１４に示すように、四方切換弁（43）の切換時を含む所定期間Ｔ１の間のみ、通常状態（第１空気流通状態又は第２空気流通状態）から吸湿熱交換器と給気通路（11）との間において空気の流通が遮断される遮断状態に切り換わるように、通常制御部（101）に代わって第１〜第８ダンパ（141〜148）の動作を制御する。
【００９５】
具体的には、遮断制御部（102）は、第２空気流通状態から第１空気流通状態へ切り換わる際に、第１空気流通状態において通常開かれる第８ダンパ（148）を閉じたままに制御する。つまり、遮断制御部（102）は、四方切換弁（43）の第１状態への切換時から所定時間ｔ経過後までの所定期間Ｔ１の間、第２ダンパ（142）、第３ダンパ（143）、第５ダンパ（145）を開く一方、第１ダンパ（141）、第４ダンパ（144）、第６ダンパ（146）、第７ダンパ（147）、第８ダンパ（148）を閉じて第１遮断状態（遮断状態）とする。これにより、図１５に示すように、吸湿熱交換器である第２吸着熱交換器（47）が収容された第２熱交換器室（138）と、給気ファン（126）が収容された処理側ファン室（136）との間が第８ダンパ（148）によって遮断され、第２熱交換器室（138）に処理空気が吸い込まれなくなると共に、給気ファン（126）にも処理空気が吸い込まれなくなり、給気通路（11）から室内空間（S）への処理空気の供給が遮断される。
【００９６】
一方、遮断制御部（102）は、第１空気流通状態から第２空気流通状態へ切り換わる際に、第２空気流通状態において通常開かれる第７ダンパ（147）を閉じたままに制御する。つまり、遮断制御部（102）は、四方切換弁（43）の第１状態への切換時から所定時間ｔ経過後までの所定期間Ｔ１の間、第１ダンパ（141）、第４ダンパ（144）、第６ダンパ（146）を開く一方、第２ダンパ（142）、第３ダンパ（143）、第５ダンパ（145）、第７ダンパ（147）、第８ダンパ（148）を閉じて第２遮断状態（遮断状態）とする。これにより、図１６に示すように、吸湿熱交換器である第１吸着熱交換器（46）が収容された第１熱交換器室（137）と、給気ファン（126）が収容された処理側ファン室（136）との間が第７ダンパ（147）によって遮断され、第１熱交換器室（137）に処理空気が吸い込まれなくなると共に、給気ファン（126）にも処理空気が吸い込まれなくなり、給気通路（11）から室内空間（S）への処理空気の供給が遮断される。
【００９７】
このような構成によっても、実施形態１と同様の効果を奏する。また、このような構成によれば、ケーシング（111）内における空気の流通経路を切り換える第１〜第８ダンパ（141〜148）の開閉動作の制御を変更するだけで、構成部品を追加することなく、容易に、所定期間Ｔ１の間、給気通路（11）から室内空間（S）への処理空気の供給を遮断する構成を実現することができる。
【００９８】
（変形例４）
実施形態１の変形例４は、変形例３において、遮断制御部（102）による制御を変更したものである。
【００９９】
具体的には、図１７に示すように、遮断制御部（102）は、遮断状態（変形例３の第１遮断状態又は第２遮断状態）において、吸湿熱交換器を通過した処理空気が再生空気通路（12）に導かれるように、第１〜第８ダンパ（141〜148）の開閉動作を制御するように構成されている。
【０１００】
具体的には、遮断制御部（102）は、第２空気流通状態から第１空気流通状態へ切り換わる際に、第１空気流通状態において、通常開かれる第８ダンパ（148）を閉じたままに制御し、通常閉じられる第６ダンパ（146）を開いたままに制御する。つまり、遮断制御部（102）は、四方切換弁（43）の第１状態への切換時から所定時間ｔ経過後までの所定期間Ｔ１の間、第２ダンパ（142）、第３ダンパ（143）、第５ダンパ（145）、第６ダンパ（146）を開く一方、第１ダンパ（141）、第４ダンパ（144）、第７ダンパ（147）、第８ダンパ（148）を閉じて第１遮断状態（遮断状態）とする。これにより、図１８に示すように、吸湿熱交換器である第２吸着熱交換器（47）が収容された第２熱交換器室（138）と、給気ファン（126）が収容された処理側ファン室（136）との間が第８ダンパ（148）によって遮断される一方、第２熱交換器室（138）と排気ファン（127）が収容された再生側ファン室（135）とが連通する。その結果、排気ファン（127）によって、第２熱交換器室（138）に処理空気が吸い込まれ、第２吸着熱交換器（47）を通過した空気は、第１吸着熱交換器（46）を通過した再生空気と共に再生空気通路（12）へ排出される。一方、給気ファン（126）には、処理空気が吸い込まれなくなり、給気通路（11）から室内空間（S）への処理空気の供給が遮断される。
【０１０１】
一方、遮断制御部（102）は、第１空気流通状態から第２空気流通状態へ切り換わる際に、第２空気流通状態において、通常開かれる第７ダンパ（147）を閉じたままに制御し、通常閉じられる第５ダンパ（145）を開いたままに制御する。つまり、遮断制御部（102）は、四方切換弁（43）の第１状態への切換時から所定時間ｔ経過後までの所定期間Ｔ１の間、第１ダンパ（141）、第４ダンパ（144）、第５ダンパ（145）、第６ダンパ（146）を開く一方、第２ダンパ（142）、第３ダンパ（143）、第７ダンパ（147）、第８ダンパ（148）を閉じて第２遮断状態（遮断状態）とする。これにより、図１９に示すように、吸湿熱交換器である第１吸着熱交換器（46）が収容された第１熱交換器室（137）と、給気ファン（126）が収容された処理側ファン室（136）との間が第７ダンパ（147）によって遮断される一方、第１熱交換器室（137）と排気ファン（127）が収容された再生側ファン室（135）とが連通する。その結果、排気ファン（127）によって、第１熱交換器室（137）に処理空気が吸い込まれ、第１吸着熱交換器（46）を通過した処理空気は、第２吸着熱交換器（47）を通過した再生空気と共に再生空気通路（12）へ排出される。一方、給気ファン（126）には、処理空気が吸い込まれなくなり、給気通路（11）から室内空間（S）への処理空気の供給が遮断される。
【０１０２】
このような構成によっても、実施形態１の変形例３と同様の効果を奏する。また、このような構成によれば、冷媒回路（40）における冷媒の循環方向の切換時を含む所定期間Ｔ１の間、吸湿熱交換器と給気通路（11）との間において空気の流通が遮断されても、該吸湿熱交換器を通過した空気が再生空気通路（12）に導かれるため、吸湿熱交換器における空気の流通が滞らず、該吸湿熱交換器に空気が供給され続ける。よって、該吸湿熱交換器が冷媒回路（40）において蒸発器として正常に機能する。その結果、冷媒回路（40）の低圧圧力の著しい低下や、吸湿熱交換器の表面での結露や、吸湿熱交換器で蒸発しなかった液冷媒が圧縮機（41）に吸入される所謂液バック等の発生を防止することができる。
【０１０３】
《発明の実施形態２》
実施形態２の除湿システム（1）は、図２０に示すように、室外空気（OA）を除湿して室内へ給気（SA）として供給する一方、室内空気（RA）を再生用の空気として用いることとした換気型の除湿システムである。具体的には、実施形態２では、冷却除湿装置（3）及び分岐通路（4）が設けられず、除湿ユニット（30）の再生側吸込口（124）に室内空気通路（71）が接続されている。室内空気通路（71）は、室内空間（S）の室内空気（RA）を除湿ユニット（30）の再生側吸込口（124）に導く。
【０１０４】
このような換気型の除湿システム（1）であっても、実施形態１と同様の効果を奏する。また、このような換気型の除湿システム（1）について、実施形態１の各変形例を適用することも可能である。
【０１０５】
《発明の実施形態３》
実施形態３の除湿システム（1）は、図２１に示すように、室外空気（OA）を再生用の空気として用いる一方、室内空気（RA）を除湿して室内へ給気（SA）として供給することとした循環型の除湿システムである。具体的には、実施形態３では、冷却除湿装置（3）及び分岐通路（4）が設けられず、除湿ユニット（30）の処理側吸込口（123）に循環用戻り通路（72）が接続されている。循環用戻り通路（72）は、室内空間（S）の室内空気（RA）を除湿ユニット（30）の処理側吸込口（123）に導く。
【０１０６】
このような循環型の除湿システム（1）であっても、実施形態１と同様の効果を奏する。また、このような循環型の除湿システム（1）について、実施形態１の各変形例を適用することも可能である。
【０１０７】
《発明の実施形態４》
実施形態４は、図２２に示すように、実施形態３の除湿システム（1）において、吸着除湿装置（10）が、上記除湿ユニット（30）と、該除湿ユニット（30）と同様に構成された前段除湿ユニット（20）とを有するように構成したものである。具体的には、実施形態３の循環型の除湿ユニット（30）の再生側吹出口（121）と前段除湿ユニット（20）の処理側吸込口（123）とが再生空気通路（12）で接続され、前段除湿ユニット（20）の処理側吹出口（122）と除湿ユニット（30）の再生側吸込口（124）とが戻り通路（73）で接続されている。
【０１０８】
このような構成により、除湿ユニット（30）の放湿熱交換器の吸着剤を再生した空気は、再生空気通路（12）及び前段除湿ユニット（20）の処理側吸込口（123）を介して前段除湿ユニット（20）に流入し、該前段除湿ユニット（20）の吸湿熱交換器において除湿される。前段除湿ユニット（20）の吸湿熱交換器で除湿された空気は、戻り通路（73）及び除湿ユニット（30）の再生側吸込口（124）を介して除湿ユニット（30）に流入し、除湿ユニット（30）の放湿熱交換器を通過して該放湿熱交換器の吸着剤を再生することとなる。つまり、除湿ユニット（30）の放湿熱交換器と前段除湿ユニット（20）の吸湿熱交換器との間において空気が循環することで、除湿ユニット（30）の放湿熱交換器の吸着剤を再生した空気が、前段除湿ユニット（20）の吸湿熱交換器で除湿され、除湿ユニット（30）の放湿熱交換器の吸着剤の再生に用いられる。
【０１０９】
このような換気型の除湿システム（1）であっても、実施形態３と同様の効果を奏する。なお、実施形態１、実施形態２、及びその各変形例において、本実施形態の前段除湿ユニット（20）を設け、吸着除湿装置（10）が、除湿ユニット（30）と前段除湿ユニット（20）とを有するように構成してもよい。
【０１１０】
《発明の実施形態５》
実施形態５の除湿システム（1）は、図２３及び図２４に示すように、実施形態４の除湿システム（1）において、返送通路（61）と返送ダンパ（62）と逆流防止ダンパ（74）とが設けられている。
【０１１１】
返送通路（61）は、給気通路（11）の給気ダンパ（91）の上流側の部分と、除湿ユニット（30）の処理側吸込口（123）とを接続している。
【０１１２】
返送ダンパ（62）は、開閉式のダンパであり、返送通路（61）に設けられて該返送通路（61）を開閉する。返送ダンパ（62）は、開閉動作がコントローラ（100）によって制御される。具体的には、コントローラ（100）は、給気ダンパ（91）が開状態の際に、返送ダンパ（62）を閉状態とする一方、給気ダンパ（91）が閉状態の際に、返送ダンパ（62）を開状態とするように構成されている。つまり、返送ダンパ（62）は、コントローラ（100）により、給気ダンパ（91）が閉じられる所定期間Ｔ１のみ、即ち、冷媒回路（40）における冷媒の循環方向の切換時を含む所定期間Ｔ１の間のみ、開状態に切り換えられて返送通路（61）における空気の流通を許容し、所定期間Ｔ１以外の際には閉状態に切り換えられて返送通路（61）における空気の流通を遮断する。
【０１１３】
逆流防止ダンパ（74）は、開閉式のダンパであり、戻り通路（72）に設けられて該戻り通路（72）を開閉する。逆流防止ダンパ（74）は、開閉動作がコントローラ（100）によって制御される。具体的には、コントローラ（100）は、給気ダンパ（91）が開状態の際に、逆流防止ダンパ（74）を開状態とする一方、給気ダンパ（91）が閉状態の際に、逆流防止ダンパ（74）を閉状態とするように構成されている。つまり、逆流防止ダンパ（74）は、コントローラ（100）により、給気ダンパ（91）が閉じられる所定期間Ｔ１のみ、即ち、冷媒回路（40）における冷媒の循環方向の切換時を含む所定期間Ｔ１の間のみ、閉状態に切り換えられて戻り通路（72）における空気の流通を遮断し、所定期間Ｔ１以外の際には開状態に切り換えられて戻り通路（72）における空気の流通を許容する。
【０１１４】
このような構成により、実施形態５の除湿システム（1）では、図２３に示すように、除湿システム（1）の運転中であって、冷媒回路（40）における冷媒の循環方向の切換時を含む所定期間Ｔ１以外の際には、戻り通路（72）を介して室内空間（S）の室内空気（RA）が除湿ユニット（30）に流入し、吸湿熱交換器において除湿され、給気通路（11）を介して給気（SA）として室内空間（S）に供給される。また、放湿熱交換器において吸着剤を再生させた空気は、再生空気通路（12）を介して前段除湿ユニット（20）に流入し、該前段除湿ユニット（20）の吸湿熱交換器において除湿され、戻り通路（73）を介して除湿ユニット（30）に流入し、放湿熱交換器の吸着剤を再生する。
【０１１５】
一方、除湿システム（1）の運転中であって、冷媒回路（40）における冷媒の循環方向の切換時を含む所定期間Ｔ１には、図２４に示すように、給気ダンパ（91）及び逆流防止ダンパ（74）が閉状態となる一方、返送ダンパ（62）が開状態となる。これにより、戻り通路（72）を介して室内空間（S）の室内空気（RA）が除湿ユニット（30）に供給されなくなる一方、除湿システム（1）の吸湿熱交換器において除湿された空気が、給気通路（11）から室内空間（S）へ供給されずに返送通路（61）を介して処理側吸込口（123）へ返送される。返送された空気は、処理側吸込口（123）から除湿ユニット（30）に流入し、再び吸湿熱交換器を通過する。つまり、上記所定期間Ｔ１の間、給気ダンパ（91）及び逆流防止ダンパ（74）が閉状態となる一方、返送ダンパ（62）が開状態となることにより、除湿ユニット（30）の吸湿熱交換器の上流側と下流側との間において空気が循環する。これにより、冷媒回路（40）における冷媒の循環方向の切換直後、吸湿熱交換器の温度が高く、処理空気が十分に除湿されない場合であっても、この除湿が不十分な空気が室内空間（S）に供給されず、吸湿熱交換器を複数回通過して繰り返し除湿されることとなる。そして、所定期間Ｔ１が終了した後に、給気通路（11）から室内空間（S）への処理空気の供給が再開され、所望の温度まで低下した吸湿熱交換器において十分に除湿された処理空気が室内空間（S）に供給される。
【０１１６】
このような実施形態５によれば、給気ダンパ（91）が閉じられた際に、給気通路（11）における給気ダンパ（91）の上流側の空気を吸湿熱交換器の上流側に返送する返送通路（61）を設けることとした。そのため、給気ダンパ（91）が閉じられた際に、吸湿熱交換器を通過した空気が、返送通路（61）を介して吸湿熱交換器の上流側に返送され、吸湿熱交換器の上流側と下流側との間で空気が循環する。これにより、冷媒回路（40）における冷媒の循環方向の切換時を含む所定期間Ｔ１に給気ダンパ（91）を閉状態として給気通路（11）から室内空間（S）への処理空気の供給を遮断しても、吸湿熱交換器に空気が供給され続けるため、吸湿熱交換器が冷媒回路（40）において蒸発器として正常に機能する。その結果、冷媒回路（40）の低圧圧力の著しい低下や、吸湿熱交換器の表面での結露や、吸湿熱交換器で蒸発しなかった液冷媒が圧縮機（41）に吸入される所謂液バック等の発生を防止することができる。
【０１１７】
なお、本実施形態５では、返送ダンパ（62）を設けていたが、返送ダンパ（62）を設けずに、返送通路（61）のみを設けることとしてもよい。この場合、給気ダンパ（91）を閉じた際に、給気通路（11）の吸湿熱交換器の上流側において空気を留まらせずに循環させて吸湿熱交換器の空気を供給し続けることができるため、吸湿熱交換器を冷媒回路（40）において蒸発器として正常に機能させることができる。一方、返送ダンパ（62）が設けられていないと、給気ダンパ（91）が開状態である際にも、吸湿熱交換器を通過した空気の一部が返送通路（61）を介して吸湿熱交換器の上流側に返送されるため、室内空間（S）に供給される給気（SA）の風量は低減するが、吸湿熱交換器を複数回通過して繰り返し除湿されることで、より低露点の処理空気を室内空間（S）に供給することができる。このような場合であっても、実施形態５と同様の効果を奏する。
【０１１８】
《その他の実施形態》
上記各実施形態及び各変形例では、冷媒回路（40）における冷媒の循環方向の切換時を含む所定期間Ｔ１が、四方切換弁（43）の切換時又は切換前に開始され、四方切換弁（43）の切換から所定時間ｔ経過後に終了するように設定されている。しかしながら、所定期間Ｔ１の終了のタイミングは、四方切換弁（43）の切換から所定時間ｔ経過後に限られない。
【０１１９】
例えば、冷媒回路（40）の吸入管に温度センサを設け、該温度センサの検出温度が所定値を下回ったところで所定期間Ｔ１を終了することとしてもよい。所定値としては、例えば、除湿ユニット（30）の処理側吸込口（123）付近に空気温度センサを設け、該空気温度センサの検出温度、即ち、除湿ユニット（30）の処理側吸込口（123）に流入する室外空気（OA）の温度であってもよい。
【０１２０】
また、温度センサではなく、冷媒回路（40）の低圧圧力を検出する圧力センサを設け、該圧力センサの検出圧力が所定値を下回ったところで所定期間Ｔ１を終了することとしてもよい。所定値としては、例えば、冷媒回路（40）における低圧圧力の下限値、より具体的には、低圧異常と判定される低圧異常判定値に１０℃加えた温度であってもよい。
【０１２１】
さらに、給気通路（11）に給気ダンパ（91）が設けられた実施形態１、実施形態１の変形例１及び変形例２、実施形態２〜５では、給気通路（11）の給気ダンパ（91）の上流側に湿度センサを設け、該湿度センサによって検出される相対湿度が、所定値を下回ったところで所定期間Ｔ１を終了することとしてもよい。所定値としては、例えば、除湿ユニット（30）の処理側吸込口（123）付近に湿度センサを設け、該湿度センサによって検出される相対湿度、即ち、除湿ユニット（30）の処理側吸込口（123）に流入する室外空気（OA）の相対湿度であってもよい。
【０１２２】
また、上記各実施形態及び各変形例では、吸着除湿装置（10）が、１つの除湿ユニット（30）を備えていたが、吸着除湿装置（10）は、複数の除湿ユニット（20）を備えていてもよい。また、この場合において、複数の除湿ユニット（20）の間において、第１動作と第２動作とを切り換えるタイミングを互いに相違させることすれば、室内空間（S）への処理空気の供給が遮断されるタイミングが除湿ユニット（20）毎に異なるため、室内空間（S）へ常時空気を供給することができる。
【０１２３】
また、上記各実施形態及び各変形例では、吸着剤として、シリカゲルやゼオライト、活性炭等の主に水蒸気の吸着を行う材料だけでなく、水蒸気の吸着と吸収の両方を行う材料（所謂、収着剤）を用いてもよい。
【０１２４】
なお、以上の実施形態は、本質的に好ましい例示であって、本発明、その適用物、あるいはその用途の範囲を制限することを意図するものではない。
【産業上の利用可能性】
【０１２５】
以上説明したように、本発明は、表面に吸着剤が設けられた吸着熱交換器を有する除湿ユニットを用いて調湿空間を除湿する除湿システムについて有用である。
【符号の説明】
【０１２６】
１          除湿システム
１１          給気通路
１２          再生空気通路（空気通路）
３０          除湿ユニット
４０          冷媒回路
４１          圧縮機
４２          膨張弁（膨張機構）
４６          第１吸着熱交換器
４７          第２吸着熱交換器
５０          排気通路
６１          返送通路
６２          返送ダンパ（開閉ダンパ）
９０          給気遮断部 
９１          給気ダンパ
１００          コントローラ（制御部）
１００          制御部
１０１          通常制御部
１０２          遮断制御部
１１１          ケーシング
１４１〜１４８  第１〜第８ダンパ
１５１          第１流路切換部
１５２          第２流路切換部
【図１】
2015114081.tif 000003
【図２】
2015114081.tif 000004
【図３】
2015114081.tif 000005
【図４】
2015114081.tif 000006
【図５】
2015114081.tif 000007
【図６】
2015114081.tif 000008
【図７】
2015114081.tif 000009
【図８】
2015114081.tif 000010
【図９】
2015114081.tif 000011
【図１０】
2015114081.tif 000012
【図１１】
2015114081.tif 000013
【図１２】
2015114081.tif 000014
【図１３】
2015114081.tif 000015
【図１４】
2015114081.tif 000016
【図１５】
2015114081.tif 000017
【図１６】
2015114081.tif 000018
【図１７】
2015114081.tif 000019
【図１８】
2015114081.tif 000020
【図１９】
2015114081.tif 000021
【図２０】
2015114081.tif 000022
【図２１】
2015114081.tif 000023
【図２２】
2015114081.tif 000024
【図２３】
2015114081.tif 000025
【図２４】
2015114081.tif 000026